(57)【要約】【課題】高層マンション等の高層建物の上層階からの非常用階段を通っての脱出が不可能となり、ベランダ等よりの脱出しか生存の道がなくなるいという極めて稀ではあるが絶対にないとはいえない事態に備えた脱出手段をその頻度に照らして合理的な費用にて提供する。【解決手段】高層建物の１階差ないし数階差の高さに相当する長さの梯子部の両端に高層建物の欄干等への取付け手段を設け、各取付け手段は直に開閉できると同時に梯子部の他端部からも遠隔操作により開閉できるようにする。【選択図】図１
2014077238.tif 000002
【特許請求の範囲】
【請求項１】
高層建物の１階差ないし数階差の高さに相当する長さの梯子部と、前記梯子部の両端に設けられた高層建物の欄干等への解除可能な取付け手段とを有し、該取付け手段は前記梯子部の両端のいずれの部位に於いても前記欄干等への取付けを解除できるようになっていることを特徴とする避難梯子。
【請求項２】
前記梯子部は、一対のロープとその間に橋渡しされた複数の横木とからなることを特徴とする請求項１に記載の避難梯子。
【請求項３】
前記取付け手段は、一端にて前記梯子部の一端に固定されて欄干等の一部に巻き掛けられるロープ片と、該ロープ片の他端を前記梯子部の前記一端に取外し可能に係止する係止装置を含んでいることを特徴とする請求項１または２に記載の避難梯子。
【請求項４】
前記係止装置は、前記梯子部の前記一端の側に設けられたフック孔と前記ロープ片の前記他端の側に設けられたフック孔と、前記梯子部の前記一端側のフック孔と前記ロープ片の前記他端側のフック孔とを重ね合わせた重合孔に選択的に通されるフックと、該フックを前記重合孔に通された位置へ付勢するばねと、前記ばねの弾力に抗して前記フックを前記重合孔より引き抜く引張り紐とを含んでいることを特徴とする請求項３に記載の避難梯子。
【請求項５】
前記フックは前記重合孔に通された位置と前記重合孔より引き抜かれた位置との間に回動する回動フックであることを特徴とする請求項４に記載の避難梯子。
【請求項６】
前記取付け手段は、前記梯子部の両端の各々に一対として設けられていることを特徴とする請求項１〜５のいずれかに記載の避難梯子。
【発明の詳細な説明】
【技術分野】
【０００１】
本発明は、高層マンション等の高層建物であって欄干等の梯子を係止できる構造物がある高層建物の高層階より、火災等の緊急時に欄干等を利用して地上まで脱出するための避難梯子に係る。
【背景技術】
【０００２】
火災等の緊急時に建物より脱出するための避難梯子として、建物の一箇所に設けた梯子格納部に梯子を折り畳んだ状態に格納しておき、緊急時には格納部にて上端を支持された状態にてこれより梯子を下方へ伸張させる形式のものが下記の特許文献１〜４に於いて提案されている。このように避難梯子を据付式に設けておくのではなく、常時は何処かに保管しておき、緊急時にベランダの手摺等に上端部を引っ掛けて使用する避難梯子が、下記の特許文献５〜８に於いて提案されている。このうち、特許文献５のものはロープによる梯子の上端をフックにより手摺等に引っ掛けるものであり、特許文献６のものは常時は物干し竿として使用できるものであり、特許文献７のものは折畳み携帯式に作られており、特許文献８のものは梯子の幅が拡縮自在とされている。これらの特許文献１〜８には、避難梯子をどれ程の階層に亙って使用することを意図しているかについての記載はないが、特許文献１〜４の常時格納式の梯子では、梯子を折り畳んで格納する格納スペースの大きさの限界から、また特許文献５〜８の人が手に持って手摺等への掛け付けを行う梯子では、人が手に持って操作できる重さの限界から、梯子の長さは１階差分ないし高々数階差分程度であろうと思われる。一方、下記の特許文献９には、特に高層建物の屋上および各階から地上までの避難を可能にするが、常時は外部からの不審者の侵入を防ぐよう、屋上から地表より離れた位置まで一連の折り畳み構造の避難梯子を各階に設けられたロック解除装置にてロック解除可能に設け、更にその下端から補助梯子をスライド式に地表まで延ばせるようにした避難梯子が提案されている。
【先行技術文献】
【特許文献】
【０００３】
【特許文献１】特開平０５-２７７１９９
【特許文献２】特開平０６-２８５１７７
【特許文献３】特開２００１-０２９４９２
【特許文献４】特開２０１１-０３８２９７
【特許文献５】特開平０９-１４４４５４
【特許文献６】特開２００２-３０９８８１
【特許文献７】特開２００２-３６０７１６
【特許文献８】特開２００３-０８２９６８
【特許文献９】特開２００３-０３８２９７
【発明の概要】
【発明が解決しようとする課題】
【０００４】
高層マンション等の高層建物に於いて火災が発生し、非常用階段にも火炎や煙が充満して、上層階から非常用階段を通っての脱出が不可能となったとき、上層階のベランダ等より避難梯子で脱出しようとしても、上記の特許文献１〜８による避難梯子では１階ないし高々数階下までの下降しかできない。上記の特許文献９による避難梯子が備えられていれば、高層階から地上までの脱出はできるが、その設置には多大の費用を要し、如何に人命は金では買えないとはいっても、非常用階段からの脱出が不可能となってそのような設備が必要となる事態の発生頻度に照らせば、そのような避難梯子の合理性には疑問が持たれる。
【０００５】
本発明は、高層マンション等の高層建物の上層階からの非常用階段を通っての脱出が不可能となり、ベランダ等よりの脱出しか生存の道がなくなるという、世間全体としてみれば間々起こるとはいえ各個人がそのような事態に遭遇する頻度としては極めて稀であり、しかし高層建物の上層階にいる限り絶対に遭遇しないとはいえない事態に備えて、それに対処する手段を、各個人にとってそれが必要となる頻度と各個人が負担すべき費用の釣合に照らして合理的と思われる手段として提供することを課題としている。
【課題を解決するための手段】
【０００６】
上記の課題を解決すべく、本発明は、高層建物の１階差ないし数階差の高さに相当する長さの梯子部と、前記梯子部の両端に設けられた高層建物の欄干等への解除可能な取付け手段とを有し、該取付け手段は前記梯子部の両端のいずれの部位に於いても前記欄干等への取付けを解除できるようになっていることを特徴とする避難梯子を提案するものである。
【０００７】
前記梯子部は、一対のロープとその間に橋渡しされた複数の横木とからなっていてよい。
【０００８】
前記取付け手段は、一端にて前記梯子部の一端に固定されて欄干等の一部に巻き掛けられるロープ片と、該ロープ片の他端を前記梯子部の前記一端に取外し可能に係止する係止装置を含んでいてよい。
【０００９】
前記係止装置は、前記梯子部の前記一端の側に設けられたフック孔と前記ロープ片の前記他端の側に設けられたフック孔と、前記梯子部の前記一端側のフック孔と前記ロープ片の前記他端側のフック孔とを重ね合わせた重合孔に選択的に通されるフックと、該フックを前記重合孔に通された位置へ付勢するばねと、前記ばねの弾力に抗して前記フックを前記重合孔より引き抜く引張り紐とを含んでいてよい。
【００１０】
前記フックは前記重合孔に通された位置と前記重合孔より引き抜かれた位置との間に回動する回動フックであってよい。
【００１１】
前記取付け手段は、前記梯子部の両端の各々に一対として設けられていてよい。
【発明の効果】
【００１２】
上記の如く、避難梯子が、高層建物の１階差ないし数階差の高さに相当する長さの梯子部と、前記梯子部の両端に設けられた高層建物の欄干等への解除可能な取付け手段とを有し、該取付け手段が前記梯子部の両端のいずれの部位に於いても前記欄干等への取付けを解除できるようになっていれば、高層マンション等の高層建物の上層階から欄干等を伝って地上まで降りられる避難梯子を、高層建物の１階差ないし数階差程度の長さの軽量且つ安価な装置として、高層建物上層階からの非常用階段を通っての脱出が不可能となり、ベランダ等よりの脱出しか生存の道がなくなるという各個人にとって極めて稀な事態の発生頻度に照らして各個人が負担すべき費用として合理的な額の費用にて得ることができる。この避難梯子により高層建物の任意の階から脱出するには、先ず前記梯子部の一端をそこに設けられている前記解除可能な取付け手段によりその階の欄干等に取り付け、これより前記梯子部を他端まで下方へ垂らし、前記梯子部を伝って下の階に移り、ここで前記梯子部の前記他端をそこに設けられている前記解除可能な取付け手段により下の階の欄干等に取付け、次いで前記一端の解除可能な取付け手段を下の階から遠隔操作により解除し、前記梯子部の前記他端より前記一端に至る部分を重力により落下させまた必要ならこれを手にて引き降ろす。ここで前記梯子部は前記他端にて下の階の欄干等に取り付けられ、これより前記一端まで下方へ垂らされた状態となるので、以上の操作を繰り返せば、幾階の上層階にいても地上まで降りることができる。
【００１３】
前記梯子部が、一対のロープとその間に橋渡しされた複数の横木とからなっていれば、避難梯子は特に安価に製造でき、軽くて、折り畳んで小さなスペースにも格納しやすく、柔らかで曲がりやすいので、使用時に上記の如く上端および下端にて欄干等に取り付けられた梯子部の上端の欄干等への取付けが解除され、梯子の上部が重力によりまたはこれに手で引く力が加わって落下して梯子の向きが上下反転するとき、梯子の一部が建物や人体の一部に当たることがあっても衝撃は軽微で済む。
【００１４】
前記取付け手段が、一端にて前記梯子部の一端に固定されて欄干等の一部に巻き掛けられるロープ片と、該ロープ片の他端を前記梯子部の前記一端に取外し可能に係止する係止装置を含んでいれば、ロープ片の変形の自由度が高いことにより広汎に異なる設計の欄干等のいずれにも梯子部の端を取り付けることができる。
【００１５】
前記係止装置が、前記梯子部の前記一端の側に設けられたフック孔と前記ロープ片の前記他端の側に設けられたフック孔と、前記梯子部の前記一端側のフック孔と前記ロープ片の前記他端側のフック孔とを重ね合わせた重合孔に選択的に通されるフックと、該フックを前記重合孔に通された位置へ付勢するばねと、前記ばねの弾力に抗して前記フックを前記重合孔より引き抜く引張り紐とを含んでいれば、取付け手段の係合と解除の動きが簡単であり、取付け手段の解除を直の操作および遠隔操作のいずれによっても速やかに且つ確実に行なえ、それにもかかわらず取付け手段の係合状態は前記ばねにより確実に維持される。
【００１６】
前記フックが、前記重合孔に通された位置と前記重合孔より引き抜かれた位置との間に回動する回動フックであれば、前記取付け手段を係合状態と解除状態の間に切り換える前記フックの運動は枢軸により支持された滑らかで噛み付きを生じにくい枢動となる。
【００１７】
前記取付け手段が、前記梯子部の両端の各々に一対として設けられていれば、梯子の各端部での欄干等への取り付けおよび欄干等からの取り外しが２つの取付け手段の操作により速やかに行え、且つ梯子が２箇所にて欄干等に取り付けられることにより梯子の横振れを抑えることができる。
【図面の簡単な説明】
【００１８】
【図１】本発明による避難梯子の一つの実施例の一端部を示す部分図であり、そのうち図Ａは一部断面による側面図であり、図Ｂは一部断面による平面図である。
【図２】図１に一端部を示した避難梯子の他端部を示す部分図であり、そのうち図Ａは一部断面による側面図であり、図Ｂは一部断面による平面図である。
【図３】図１に示す避難梯子の一端部に於ける取付け手段の構造を図１より拡大してより詳細に示す図であり、そのうち図Ａは一部断面による側面図であり、図Ｂは一部断面による平面図である。
【図４】図３に示す取付け手段をそのフックが解除位置へ回動された状態にて示す図３の図Ｂと同様の図である。
【発明を実施するための形態】
【００１９】
図１に一端部をまた図２に他端部を示す通り、本発明による避難梯子は、高層建物の１階差ないし数階差の高さに相当する長さの梯子部１０と、その両端を高層建物の欄干等に解除可能に取付ける取付け手段１２pm，１２qm，１２pn，１２qnとを有している。梯子部１０は一対のロープ１４p，１４qとその間に橋渡しされた複数の横木１６a，１６b，１６c．．．１６x，１６y，１６zとからなっている。ロープ１４p，１４qは麻等の軽くて柔軟で丈夫な材料より作られていてよく、横木１６a，１６b，１６c．．．１６x，１６y，１６zはそれぞれ管状の主部１８a，１８b，１８c．．．１８x，１８y，１８zの両端にロープ１４p，１４qを通すスリーブ部２０ap，２０aq，２０bp，２０bq，２０cp，２０cq，．．．２０xp，２０xq，２０yp，２０yq，２０zp，２０zqを備えた軽くて丈夫な軽合金製の部材であってよい。ロープ１４p，１４qはこれらのスリーブ部２０ap，２０aq〜２０zp，２０zqに通され、スリーブとそれに通されたロープとを互いに固定する任意の公知の固定手段により、横木１６a〜１６zはロープ１４p，１４qにそれに沿って所定の間隔にて固定されている。
【００２０】
取付け手段１２pm，１２qm，１２pn，１２qnは、図示の実施例ではそれぞれロープ１４p，１４qと同質のロープ片２２pm，２２qm，２２pn，２２qnを備えている。取付け手段１２pm，１２qmのロープ片２２pm，２２qmは、それぞれの一端が横木１６aの一端に形成されたスリーブ部２４apと他端に形成された同様のスリーブ部（図には現れていない）に差し込まれることにより梯子部１０の一端に固定され、またそれぞれの他端にて横木１６aの両端に組み込まれた係止装置２６pm，２６qmにより梯子部１０の該一端に取外し可能に係止されるようになっている。ロープ片２２pmは、スリーブ部２４apにて横木１６aの一端に固定された端部と係止装置２６pmにより梯子部１０の該一端に取外し可能に係止される他端との間で、図には示されていないマンションのベランダにあるような欄干等に巻き掛けられる。ロープ片２２qmについても同じである。同様に、取付け手段１２pn，１２qnのロープ片２２pn，２２qnは、それぞれの一端が横木１６zの一端に形成されたスリーブ部２４zpと他端に形成された同様のスリーブ部（図には現れていない）に差し込まれることにより梯子部１０の他端に固定され、またそれぞれの他端にて横木１６zの両端に組み込まれた係止装置２６pn，２６qnにより梯子部１０の該他端に取外し可能に係止されるようになっている。ロープ片２２pnもまた、スリーブ部２４zpにて横木１６zの一端に固定された端部と係止装置２６pnにより梯子部１０の該一端に取外し可能に係止される他端との間で、図には示されていないマンションのベランダにあるような欄干等に巻き掛けられる。ロープ片２２qnについても同じである。
【００２１】
図３には、係止装置２６pmの構造が図１より拡大されてより詳細に示されている。以下には、係止装置２６pmについて構造の詳細を説明するが、係止装置２６qm，２６pn，２６qnの構造もこれと実質的に同じである。
【００２２】
係止装置２６pmは、梯子部１０の一端にある横木１６aの一端に互に隔置して設けられたフック孔２８pmfおよび２８pmgと、ロープ片２２pmの前記他端の側にあるようロープ片２２pmの端部に装着された金具３０pmに設けられたフック孔３２pmと、これら梯子部一端側のフック孔２８pmf，２８pmgとロープ片他端側のフック孔３２pmとを重ね合わせた重合孔に選択的に通されるフック３４pmと、該フックを前記重合孔に通された位置へ付勢するばね３６pmと、該ばねの弾力に抗してフック３４pmを前記重合孔より引き抜く引張り紐３８pmとを含んでいる。フック３４pmは、図３に示す如く前記重合孔に通された位置と、図４に示す如く前記重合孔より引き抜かれた位置との間に枢軸３９pmにより回動する回動フックである。尚、梯子部一端側のフック孔２８pmf，２８pmgにロープ片他端側のフック孔３２pmが重ね合わされていなければ、フック３４pmはばね３６pmの弾力により梯子部一端側のフック孔であるフック孔２８pm，２８gpmのみに通された位置へ付勢される。
【００２３】
引張り紐３８pmは、横木１６aの管状主部１８aの一端部に形成されて鳩目４０pmおよび４２pmにより縁取りされた孔に通されている。一方、引張り紐３８pmに対応する係止装置２６qmの引張り紐３８qmが、横木１６aの管状主部１８aの他端部に形成されて鳩目４０qmにより縁取りされた孔に通され、管状主部１８a内を通り、鳩目４２pmにより縁取りされた孔に通されて引張り紐３８pmに合流し、結合部４４pにて引張り紐３８pmと結合されている。結合部４４pからは１本の引張り紐４６pが、ロープ１４pの一端近くに取り付けられた小孔を有する紐ガイド４８p、横木１６bの管状主部１８bの一端部に形成されて鳩目５０bpおよび５２bpにより縁取りされた孔、横木１６cの管状主部１８cの一端部に形成されて鳩目５０cpおよび５２cpにより縁取りされた孔．．．横木１６xの管状主部１８xの一端部に形成されて鳩目５０xpおよび５２xpにより縁取りされた孔、横木１６yの管状主部１８yの一端部に形成されて鳩目５０ypおよび５２ypにより縁取りされた孔、ロープ１４pの他端近くに取り付けられた小孔を有する紐ガイド５４pに通された後、環５６pに接続されている。これによって環５６pを手にもって引張り紐４６pを図にて下方へ引けば、係止装置２６pmおよび２６qmが共に図４に示す如き解除状態とされる。かくして一端部にてロープ片２２pmおよび２２qmにより欄干等に掛け留めされた避難梯子の該一端部に於ける欄干等への係止を避難梯子の他端部に於いて引張り紐を介した遠隔操作により解除することができる。
【００２４】
係止装置２６pnおよび２６qnに対してもロープ１４qに沿って同様の解除機構が設けられており、上記の係止装置２６pmおよび２６qmに対する引張り紐４６pに対応する係止装置２６pnおよび２６qnのための引張り紐４６qをその端部に接続された環５６qに手を掛けて図にて上方へ引けば、係止装置２６pnおよび２６qnは、上記のばね３６pmに対応するそれぞれのばねにより図１〜３に示す如き係合状態とされている状態から、共に図４に示す如き解除状態とされる。
【００２５】
かくして、梯子部１０の一端をロープ片２２pmおよび２２qmによりマンション等の欄干等に取り付け、梯子部１０の他端を下の階まで垂らし、梯子部１０を伝って下の階へ降り、ロープ片２２pnおよび２２qnにより梯子部１０の他端を下の階の欄干等に取り付け、下の階から環５６pを引いて上の階の欄干等へのロープ片２２pmおよび２２qmによる取り付けを解除し、梯子部１０とロープ片２２pmおよび２２qmを重力により自然に落下させるかもし必要なら手にて引き降ろし、梯子部１０の上下がロープ片２２pm，２２qm，２２pn，２２qnと共に反転したところで、その階の欄干等にロープ片２２pnおよび２２qnにより取り付けられた状態の梯子部１０を伝って更に下の階へ降り、そこで更に梯子部１０の前記一端をロープ片２２pmおよび２２qmによりその階の欄干等に取り付けるという操作を繰り返せば、幾階の上層階にいても地上まで降りることができる。
【００２６】
以上に於いては本発明を一つの実施例について詳細に説明したが、かかる実施例について本発明の範囲内で種々の変更が可能なことは当業者にとって明らかであろう。
【符号の説明】
【００２７】
１０−梯子部，１２pm，１２qm，１２pn，１２qn−取付け手段，１４p，１４q−ロープ，１６a，１６b，１６c．．．１６x，１６y，１６z−横木，１８a，１８b，１８c．．．１８x，１８y，１８z−横木の管状主部，２０ap，２０aq，２０bp，２０bq，２０cp，２０cq，．．．２０xp，２０xq，２０yp，２０yq，２０zp，２０zq−スリーブ部，２２pm，２２qm，２２pn，２２qn−ロープ片，２４ap，２４zp−スリーブ部，２６pm，２６qm，２６pn，２６qn−係止装置，２８pmf，２８pmg−梯子部一端側のフック孔，３０pm−金具，３２pm−ロープ片他端側のフック孔，３４pm−フック，３６pm−ばね，３８pm，３８qm−引張り紐，３９pm−枢軸，４０pm，４０qm，４２pm−鳩目，４４p−結合部，４６p，４６q−引張り紐，４８p−紐ガイド，５０bp，５０cp．．．５０xp，５０yp，５２bp，５２cp．．．５２xp，５２yp−鳩目，５４p−紐ガイド，５６p，５６q−環
【図１】
2014077238.tif 000003
【図２】
2014077238.tif 000004
【図３】
2014077238.tif 000005
【図４】
2014077238.tif 000006